(57)【要約】【課題】組立作業時間を短縮することができるとともに、コストの低廉化を図ることができる押釦スイッチを提供する。【解決手段】押釦スイッチ１は、保持部材２と、保持部材２にプッシュ操作可能に保持され、かつプッシュ操作方向Ｐと反対の方向のばね力が復帰用スプリング１１によって付与され、互いに直交する２つの面内で弾性変形可能なフック４を有してスイッチ動作を実行するためのスイッチ操作部材３と、スイッチ操作部材３のフック４を係止する係止面を有し、保持部材２に一体に形成された係止部材５とを備えた。【選択図】図１
2012099241.tif 000002
【特許請求の範囲】
【請求項１】
保持部材と、
前記保持部材にプッシュ操作可能に保持され、かつプッシュ操作方向と反対の方向のばね力が復帰用スプリングによって付与され、互いに直交する２つの面内で弾性変形可能なフックを有してスイッチ動作を実行するためのスイッチ操作部材と、
前記スイッチ操作部材の前記フックを係止する係止面を有し、前記保持部材に一体に形成された係止部材と
を備えた押釦スイッチ。
【請求項２】
前記係止部材は、前記復帰用スプリングによる前記ばね力を含んで互いに直交する３方向のばね力を受けるばね力受面を前記係止面が有する請求項１に記載の押釦スイッチ。
【請求項３】
前記係止部材は、第１のプッシュ操作による前記スイッチ操作部材の往動によって前記フックを案内する第１のガイド面、及び前記第１のプッシュ操作の解除による前記スイッチ操作部材の復動によって前記フックを案内する第２のガイド面を有する請求項１又は２に記載の押釦スイッチ。
【請求項４】
前記係止部材は、第２のプッシュ操作による前記スイッチ操作部材の往動によって前記フックを案内する第３のガイド面、及び前記第２のプッシュ操作の解除による前記スイッチ操作部材の復動によって前記フックを案内する第４のガイド面を有する請求項３に記載の押釦スイッチ。
【発明の詳細な説明】
【技術分野】
【０００１】
本発明は押釦スイッチに関する。
【背景技術】
【０００２】
従来の押釦スイッチには、部品収容用のケースと、このケースに対してプッシュ操作可能なスライド部材と、このスライド部材をロック状態とする係止ピンと、この係止ピンの移動方向と直交する方向に移動可能な可動部材とを備えたものがある（例えば特許文献１）。
【０００３】
ケースは、部品収容空間を有し、上ケース及び下ケースからなる分割ケースによって形成されている。下ケースには固定端子が取り付けられている。
【０００４】
スライド部材は、ハート形カム溝（一部）及び摺動孔を有し、ケースにプッシュ操作可能に配置されている。スライド部材には、固定端子に対応する可動端子が取り付けられている。また、スライド部材には、初期位置に復帰する方向のばね力が復帰用ばねによって付与されている。
【０００５】
係止ピンは、略コ字状のロック部材からなり、ケースに保持され、かつハート形カム溝側へのばね力が板ばねによって付与されている。そして、係止ピンは、その溝側端部がスライド部材の第１のプッシュ操作による移動に伴いハート形カム溝上を移動し、ハート形カム溝の係合位置での係合によってスライド部材をロック状態とするように構成されている。また、係止ピンは、ハート形カム溝の係合位置に対する係合状態において、スライド部材の第２のプッシュ操作によってハート形カム溝との係合状態を解除してスライド部材をアンロック状態とするように構成されている。
【０００６】
可動部材は、駆動部を有し、スライド部材の摺動孔に移動可能に配置され、かつ駆動部をケース外に露出させる方向のばね力がコイルばねによって付与されている。そして、可動部材は、スライド部材と共にハート形カム溝を形成するように構成されている。
【０００７】
以上の構成により、スライド部材を復帰用ばねのばね力に抗してプッシュ操作すると、係止ピンとハート形カム溝との相対位置が変化し、係止ピンが板ばねを支点としてハート形カム溝内を移動する。
【０００８】
これにより、係止ピンがハート形カム溝の係合位置で係合され、スライド部材がロック状態とされる。
【０００９】
一方、スライド部材をロック状態からプッシュ操作すると、係止ピンがハート形カム溝内を移動し、スライド部材が復帰用ばねによって初期位置に復帰する。
【００１０】
このように、スライド部材が往復動作すると、この往復動作に連動して可動端子と固定端子との接触状態が変化して押釦スイッチの切り替えが行われる。
【先行技術文献】
【特許文献】
【００１１】
【特許文献１】特開２０００−３３１５６３号公報
【発明の概要】
【発明が解決しようとする課題】
【００１２】
しかしながら、特許文献１に示す押釦スイッチによると、スイッチ操作部材としてのスライド部材を係止する係止ピンのみならず、係止ピンを移動させてロック状態及びアンロック状態とする機構を必要としていた。この結果、部品点数が嵩み、組立作業に多大の時間を費やすばかりか、コスト高になるという問題があった。
【００１３】
従って、本発明の目的は、組立作業時間を短縮することができるとともに、コストの低廉化を図ることができる押釦スイッチを提供することにある。
【課題を解決するための手段】
【００１４】
本発明は、上記目的を達成するために、（１）〜（４）の押釦スイッチを提供する。
【００１５】
（１）保持部材と、前記保持部材にプッシュ操作可能に保持され、かつプッシュ操作方向と反対の方向のばね力が復帰用スプリングによって付与され、互いに直交する２つの面内で弾性変形可能なフックを有してスイッチ動作を実行するためのスイッチ操作部材と、前記スイッチ操作部材の前記フックを係止する係止面を有し、前記保持部材に一体に形成された係止部材とを備えた押釦スイッチ。
【００１６】
（２）上記（１）に記載の押釦スイッチにおいて、前記係止部材は、前記復帰用スプリングによる前記ばね力を含んで互いに直交する３方向のばね力を受けるばね力受面を前記係止面が有する。
【００１７】
（３）上記（１）又は（２）に記載の押釦スイッチにおいて、前記係止部材は、第１のプッシュ操作による前記スイッチ操作部材の往動によって前記フックを案内する第１のガイド面、及び前記第１のプッシュ操作の解除による前記スイッチ操作部材の復動によって前記フックを案内する第２のガイド面を有する。
【００１８】
（４）上記（３）に記載の押釦スイッチにおいて、前記係止部材は、第２のプッシュ操作による前記スイッチ操作部材の往動によって前記フックを案内する第３のガイド面、及び前記第２のプッシュ操作の解除による前記スイッチ操作部材の復動によって前記フックを案内する第４のガイド面を有する。
【発明の効果】
【００１９】
本発明によると、組立作業時間を短縮することができるとともに、コストの低廉化を図ることができる。
【図面の簡単な説明】
【００２０】
【図１】本発明の実施の形態に係る押釦スイッチの全体を説明するために分解して示す断面図。
【図２】本発明の実施の形態に係る押釦スイッチにおけるスイッチ操作部材のフックを説明するために示す斜視図。
【図３】（ａ）及び（ｂ）は、本発明の実施の形態に係る押釦スイッチにおけるスイッチ操作部材のフックの動作を説明するために示す正面図と側面図。（ａ）は正面図を、また（ｂ）は側面図をそれぞれ示す。
【図４】本発明の実施の形態に係る押釦スイッチにおけるスイッチ操作部材の係止状態を示す斜視図。
【図５】本発明の実施の形態に係る押釦スイッチの係止部材を説明するために示す斜視図。
【図６】（ａ），（ｂ）及び（ｃ）は、本発明の実施の形態に係る押釦スイッチにおける係止部材を説明するために示す平面図，正面図及び側面図。（ａ）は平面図を、（ｂ）は正面図を、また（ｃ）は側面図をそれぞれ示す。
【図７】（ａ）〜（ｉ）は、本発明の実施の形態に係る押釦スイッチの動作を説明するために概略化して示す側面図。
【発明を実施するための形態】
【００２１】
〔実施の形態〕
以下、本発明の実施の形態に係る押釦スイッチにつき、図面を参照して説明する。
【００２２】
（押釦スイッチの全体構成）
図１は押釦スイッチを示す。図１に示すように、押釦スイッチ１は、下ケースを形成する保持部材２と、この保持部材２に嵌合してスイッチ動作を実行するための上ケースを形成するスイッチ操作部材３と、このスイッチ操作部材３のフック４を係止する係止部材５とを備え、自動車搭載用のＥＣＵ（Electronic Control Unit：図示せず）を介して例えばハザードランプ（図示せず）に接続されている。
【００２３】
そして、押釦スイッチ１は、スイッチ操作部材３を第１のプッシュ操作の解除で所定の位置に係止してスイッチオン状態とし、続く第２のプッシュ操作でスイッチ操作部材３の係止状態を解除してスイッチオフ状態とするセルフロック型のスイッチとして機能するように構成されている。
【００２４】
（保持部材２の構成）
保持部材２は、回路基板６を内蔵し、底面を突出するスプリング位置決め用の凸部７を有し、全体が図１において上方に開口する例えばＰＣ（ポリカーボネート）樹脂などのプラスチック材料からなる略角形箱状の成形体によって形成されている。
【００２５】
保持部材２には、スイッチ操作部材３をプッシュ操作方向Ｐ及びその反対の方向に案内するための凹部２ａ、及び側方に開口する型抜き用孔２ｂが設けられている。また、保持部材２には、回路基板６に接続する外部接続用端子８が挿通されている。
【００２６】
回路基板６には、保持部材２の開口面に対向する固定端子９、及びこの固定端子９と共にスイッチ素子を構成する弾性変形可能な可動端子１０が配置されている。また、回路基板６には、押釦スイッチ１のスイッチオンによって点灯し、かつそのスイッチオフによって消灯する発光ダイオード（Light Emitting Diode：ＬＥＤ）素子（図示せず）が実装されている。
【００２７】
（スイッチ操作部材３の構成）
スイッチ操作部材３は、本体部３ａ及び窓部３ｂを有し、保持部材２にプッシュ操作可能に保持され、かつプッシュ操作方向Ｐと反対方向のばね力が復帰用スプリング１１によって付与され、全体が図１において下方に開口する例えば着色ＰＣ樹脂及び透明ＰＣ樹脂などのプラスチック材料からなる略角形箱状の２色成形体によって形成されている。
【００２８】
そして、スイッチ操作部材３は、初期位置から第１のプッシュ操作で往動して固定端子９に可動端子１０を接触させ、スイッチオン動作を実行するように構成されている。その後、スイッチ操作部材３は、第１のプッシュ操作の解除で復動して固定端子９と可動端子１０との接触状態を維持しつつ係止部材５に係止される。また、スイッチ操作部材３は、スイッチオン動作状態から第２のプッシュ操作で往動してスイッチオフ動作を実行するとともに、係止部材５との係止状態を解除するように構成されている。その後、スイッチ操作部材３は、第２のプッシュ操作の解除で復動して固定端子９から可動端子１０を離間させ、初期位置に復帰する。
【００２９】
復帰用スプリング１１は、スプリング位置決め用の凸部７に位置決めされ、かつ保持部材２の底面とスイッチ操作部材３の内面との間に介在して配置されている。
【００３０】
スイッチ操作部材３には、凹部２ａに嵌合する凸部３ｃ、及び可動端子１０を固定端子９に圧接可能なスイッチ押圧部３ｄが一体に設けられている。また、スイッチ操作部材３には、互いに直交する２つの仮想面内で弾性変形可能なフック４が一体に設けられている。
【００３１】
図２はスイッチ操作部材のフックを示す。図３（ａ）及び（ｂ）はスイッチ操作部材及び係止部材を示す。図２に示すように、フック４は、互いに対向する一対のフィンガー部４ａ、これら一対のフィンガー部４ａを連結する連結部４ｂ、この連結部４ｂに所定の間隔をもって対向して一対のフィンガー部４ａから突出する一対の爪部４ｃ、及びこれら一対の爪部４ｃと一対のフィンガー部４ａとの間に介在する一対の補強部４ｄを有し、スイッチ操作部材３の内面に一体に設けられている。
【００３２】
そして、フック４は、一方の仮想面内において、図３（ａ）に実線で示すように各爪部４ｃの先端が互いに離間する方向（矢印ａ１方向）に弾性変形するとともに、図３（ａ）に二点鎖線で示すように各爪部４ｃの先端が互いに接近する方向（矢印ａ２方向）に弾性復帰するように構成されている。また、フック４は、他方の仮想面内において、図３（ｂ）に二点鎖線で示すように矢印ｂ１方向に弾性変形するとともに、図３（ａ）に実線で示すように矢印ｂ２方向に弾性復帰するように構成されている。
【００３３】
（係止部材５）
図４は係止部材へのスイッチ操作部材の係止状態を示す。図５及び図６（ａ）〜（ｃ）は係止部材を示す。図４，図５及び図６（ａ）〜（ｃ）に示すように、係止部材５は、本体部１２及び係止部１３を有し、保持部材２の底面に一体に形成されている。
【００３４】
本体部１２は、スイッチ組立時に爪部４ｃを案内するスイッチ組立用の第１のガイド面１４、及びスイッチ動作時に爪部４ｃを案内するスイッチ組立用の第２のガイド面１５を有し、係止部材５の厚さ方向一方側に配置されている。
【００３５】
スイッチ組立用の第１のガイド面１４は、所定の曲率をもつ曲面１４ａ、一対の爪部４ｃからｘ方向のばね力を受ける垂直面１４ｂ、及び曲面１４ａから保持部材２の型抜き用孔２ｂ側に向かって下る勾配をもつ傾斜面１４ｃによって形成されている。ここで、「勾配」は保持部材２の底面に対する傾きとする。
【００３６】
スイッチ組立用の第２のガイド面１５は、スイッチ組立用の第１のガイド面１４の垂直面１４ｂに隣接して保持部材２の型抜き用孔２ｂとは反対側に向かって下る勾配をもつ傾斜面１５ａ、この傾斜面１５ａの勾配よりも急な勾配をもつ傾斜面１５ｂ、及びこの傾斜面１５ｂに隣接する垂直面１５ｃによって形成されている。
【００３７】
係止部１３は、スイッチ動作時に爪部４ｃを案内するスイッチ動作用の第１のガイド面１６〜第４のガイド面１９、及び爪部４ｃを係止する係止面２０を有し、係止部材５の厚さ方向他方側に配置されている。そして、係止部１３は、全体が本体部１２側から保持部材２の型抜き用孔２ｂに向かって上る段状面１３ａ〜１３ｃを有する段状部材によって形成されている。また、係止部１３は、幅寸法が本体部１２側から保持部材２の型抜き用孔２ｂに向かって漸次小さくなる寸法に設定されている。これにより、係止部材５が一体化された保持部材２を例えば射出成形用金型によって成形する場合に型抜きを容易に行うことができる。
【００３８】
スイッチ動作用の第１のガイド面１６は、スイッチ操作部材３を初期（スイッチ動作開始）位置からプッシュ操作方向に案内する曲面１６ａ、及びこの曲面１６ａに隣接する垂直面１６ｂ、この垂直面１６ｂから保持部材２の底面に向かって下る勾配をもつ傾斜面１６ｃ、及びこの傾斜面１６ｃに隣接する垂直面１６ｄを有し、スイッチ組立用の第１のガイド面１４とスイッチ動作用の第２のガイド面１７との間に介在して配置されている。そして、スイッチ動作用の第１のガイド面１６は、第１のプッシュ操作によるスイッチ操作部材３の往動によって爪部４ｃを初期位置からプッシュ操作方向Ｐに案内するように構成されている。
【００３９】
スイッチ動作用の第２のガイド面１７は、第１のガイド面１６の垂直面１６ｄ，段状面１３ａに隣接する垂直面１７ａ、及び段状面１３ｂに隣接して垂直面１７ａから係止面２０に向かって上る勾配をもつ傾斜面１７ｂを有し、スイッチ動作用の第１のガイド面１６と係止面２０との間に介在して配置されている。そして、スイッチ動作用の第２のガイド面１７は、第１のプッシュ操作の解除によるスイッチ操作部材３の復動によって爪部４ｃをスイッチ動作用の第１のガイド面１６からプッシュ操作方向Ｐと反対の方向に案内するように構成されている。
【００４０】
スイッチ動作用の第３のガイド面１８は、係止面２０から保持部材２の底面に向かって下る勾配をもつ傾斜面１８ａ、及びこの傾斜面１８ａ，段状面１３ａに隣接する垂直面１８ｂを有し、係止面２０とスイッチ動作用の第４のガイド面１９との間に介在して配置されている。そして、スイッチ動作用の第３のガイド面１８は、第２のプッシュ操作によるスイッチ操作部材３の往動によって爪部４ｃを係止位置からプッシュ操作方向Ｐに案内するように構成されている。
【００４１】
スイッチ動作用の第４のガイド面１９は、第３のガイド面１８の垂直面１８ｂ，係止面２０，スイッチ組立用の第２のガイド面１５に隣接する垂直面１９ａ、及びこの垂直面１９ａからスイッチ組立用の第１のガイド面１４に向かって上る勾配をもつ傾斜面１９ｂを有し、スイッチ動作用の第３のガイド面１８とスイッチ組立用の第１のガイド面１４との間に介在して配置されている。そして、スイッチ動作用の第４のガイド面１９は、第２のプッシュ操作の解除によるスイッチ操作部材３の復動によって爪部４ｃをスイッチ動作用の第３のガイド面１８からプッシュ操作方向Ｐと反対の方向に案内するように構成されている。
【００４２】
係止面２０は、爪部４ｃの係止状態において、復帰用スプリング１１（図１に示す）によるばね力を含んで互いに直交する３方向ｘ，ｙ，ｚのばね力を受けるばね力受面２０ａ，２０ｂ，２０ｃを有し、スイッチ動作用の第２のガイド面１７とスイッチ動作用の第３のガイド面１８との間に配置されている。そして、係止面２０は、ばね力受面２０ａが復帰用スプリング１１からスイッチ操作部材３（爪部４ｃ）を介してｚ方向のばね力を、ばね力受面２０ｂが爪部４ｃからy方向のばね力を、またばね力受面２０ｃが爪部４ｃからばね力をそれぞれ受けて爪部４ｃを係止するように構成されている。
【００４３】
このように構成された押釦スイッチ１の組み立ては、予め回路基板６等が取り付けられ、かつ復帰用スプリング１１が位置決めされた保持部材２の凹部２ａにスイッチ操作部材３の凸部３ｃを嵌合させた後、保持部材２にスイッチ操作部材３をプッシュ操作方向Ｐに沿って押し込むことにより行われる。このため、保持部材２に対するスイッチ構成部品の組み付け方向がプッシュ操作方向Ｐと一致することになり、押釦スイッチ１の組み立てを容易に行うことができる。
【００４４】
（押釦スイッチ１の動作）
次に、本実施の形態に示す押釦スイッチの動作につき、図７（ａ）〜（ｉ）を用いて説明する。図７（ａ）〜（ｉ）は押釦スッチの動作状態を示す。押釦スイッチ１の動作は、「第１のプッシュ操作」，「第１プッシュ操作の解除」，「第２のプッシュ操作」及び「第２のプッシュ操作の解除」の各動作が順次実施されるため、これら各動作を順次説明する。
【００４５】
「第１のプッシュ操作」
第１のプッシュ操作によってスイッチ操作部材３（図１に示す）を復帰用スプリング１１（図１に示す）及びスイッチ操作部材３のばね力に抗してプッシュ操作方向Ｐに往動させる。この場合、スイッチ操作部材３が往動すると、この往動動作に伴い爪部４ｃが図７（ａ）に示す初期位置からプッシュ操作方向Ｐに移動し、図７（ｂ）に示すスイッチ動作用の第１のガイド面１６を介して図７（ｃ）に示す中間位置に到達する。
【００４６】
「第１のプッシュ操作の解除」
第１のプッシュ操作の解除によってスイッチ操作部材３をプッシュ操作方向Ｐと反対の方向に復動させる。この場合、スイッチ操作部材３が復動すると、この復動動作に伴い爪部４ｃが図７（ｃ）に示す中間位置からプッシュ操作方向Ｐと反対の方向に移動し、スイッチ動作用の第２のガイド面１７（垂直面１７ａ）及び図７（ｄ）に示すスイッチ動作用の第２のガイド面１７（傾斜面１７ｂ）を介して図７（ｅ）に示す係止位置に到達する。この際、爪部４ｃが図７（ｅ）に示す係止位置において係止面２０（ばね力受面２０ａ〜２０ｃ）によって係止され、可動端子１０及び固定端子９（共に図１に示す）が接触による導通によってスイッチオン状態となる。すなわち、爪部４ｃがばね力受面２１ａ〜２１ｃによって互いに直交する３方向に位置決めされ、押釦スイッチ１がスイッチオン状態となる。
【００４７】
「第２のプッシュ操作」
第２のプッシュ操作によってスイッチ操作部材３を復帰用スプリング１１及びスイッチ操作部材３のばね力に抗してプッシュ操作方向Ｐに往動させる。この場合、スイッチ操作部材３が往動すると、この往動動作に伴い爪部４ｃが図７（ｅ）に示す係止位置からプッシュ操作方向Ｐに移動し、図７（ｆ）に示すスイッチ動作用の第３のガイド面１８を介して図７（ｇ）に示す中間位置に到達する。この際、爪部４ｃが図７（ｅ）に示す係止位置から離間して係止状態が解除される。
【００４８】
「第２のプッシュ操作の解除」
第２のプッシュ操作の解除によってスイッチ操作部材３をプッシュ操作方向Ｐと反対の方向に復動させる。この場合、スイッチ操作部材３が復動すると、この復動動作に伴い爪部４ｃが図７（ｇ）に示す中間位置からプッシュ操作方向Ｐと反対の方向に移動し、図７（ｈ）に示すスイッチ動作用の第４のガイド面１９（垂直面１９ａ）及び図７（ｉ）に示すスイッチ動作用の第４のガイド面１９（傾斜面１９ｂ）を介して図７（ａ）に示す初期位置に復帰する。また、可動端子１０が固定端子９から離間し、押釦スイッチ１がスイッチオフ状態となる。
【００４９】
[実施の形態の効果]
以上説明した実施の形態によれば、次に示す効果が得られる。
【００５０】
部品点数を削減することができ、組立作業時間を短縮することができるとともに、コストの低廉化を図ることができる。
【００５１】
以上、本発明の押釦スイッチを上記の実施の形態に基づいて説明したが、本発明は上記の実施の形態に限定されるものではなく、その要旨を逸脱しない範囲で種々の態様において実施することが可能であり、例えば次に示すような変形も可能である。
【００５２】
（１）上記実施の形態では、係止部１３が係止面１３ａ〜１３ｃを有する３段の段状部材によって形成され、単一のスイッチ（オン・オフ）動作が行われる構成について説明したが、本発明はこれに限定されず、係止部の段数を増加して複数のスイッチ（オン・オフ）動作を行う構成とすることが可能である。
【００５３】
（２）上記実施の形態では、保持部材２及びスイッチ操作部材３がＰＣ樹脂によって形成されている場合について説明したが、本発明はこれに限定されず、例えばＡＢＣ（アクリロニトリル・ブタジエン・スチレン）樹脂，ＰＯＭ（ポリアセタール）樹脂など他の合成樹脂によって保持部材及びスイッチ操作部材を形成してもよい。
【００５４】
（３）上記実施の形態では、ハザードランプに適用する場合について説明したが、本発明はこれに限定されず、他の電子部品にも上記実施の形態と同様に適用することができる。
【符号の説明】
【００５５】
１…押釦スイッチ、２…保持部材、２ａ…凹部、２ｂ…型抜き用孔、３…スイッチ操作部材、３ａ…本体部、３ｂ…窓部、３ｃ…凸部、３ｄ…スイッチ押圧部、４…フック、４ａ…フィンガー部、４ｂ…連結部、４ｃ…爪部、４ｄ…補強部、５…係止部材、６…回路基板、７…凸部、８…外部接続用端子、９…固定端子、１０…可動端子、１１…復帰用スプリング、１２…本体部、１３…係止部、１３ａ〜１３ｃ…段状面、１４…スイッチ組立用の第１のガイド面、１４ａ…曲面、１４ｂ…垂直面、１４ｃ…傾斜面、１５…スイッチ組立用の第２のガイド面、１５ａ…傾斜面、１５ｂ…傾斜面、１５ｃ…垂直面、１６…スイッチ動作用の第１のガイド面、１６ａ…曲面、１６ｂ…垂直面、１６ｃ…傾斜面、１６ｄ…垂直面、１７…スイッチ動作用の第２のガイド面、１７ａ…垂直面、１７ｂ…傾斜面、１８…スイッチ動作用の第３のガイド面、１８ａ…傾斜面、１８ｂ…垂直面、１９…スイッチ動作用の第４のガイド面、１９ａ…垂直面、１９ｂ…傾斜面、２０…係止面、２０ａ〜２０ｃ…ばね力受面、Ｐ…プッシュ操作方向
【図１】
2012099241.tif 000003
【図２】
2012099241.tif 000004
【図３】
2012099241.tif 000005
【図４】
2012099241.tif 000006
【図５】
2012099241.tif 000007
【図６】
2012099241.tif 000008
【図７】
2012099241.tif 000009